(57)【特許請求の範囲】
【請求項１】
（１）コンピュータに少なくともカード所持者の住所、氏名、ＩＤ符号を所持者（使用者）毎にデータベース化して記憶メモリに記憶させる。
（２）該所持者（使用者）毎にデータベース化された記憶メモリから呼び出し、書込装置にデータを送信し、少なくともカード所持者（使用者）が特定できるＩＤ符号を記録した本カードを作製する。
（３）発送丁合する際、本カードに記録されている該カード所持者（使用者）が特定できるＩＤ符号を、読取装置で読み取り、この特定されたカード所持者（使用者）の住所、氏名、ＩＤ符号をデータベース化した記憶メモリから呼び出すとともに、同時に発送される他の補助カードに記録する乱数をコンピュータに格納されている乱数発生手段で発生させる。
（４）特定されたカード所持者（使用者）の住所、氏名、ＩＤ符号と対応させて
（３）の工程で発生させた乱数をデータベース記憶メモリに記憶させると同時に、カード台紙に発送用の宛名及びＩＤ符号を、カード台紙に再剥離可能な方法で糊付けされている補助カードには該乱数とＩＤ符号を書き込む。
（５）次に、カード台紙を丁合工程に搬送し、カード台紙に糊付けされた補助カードと共に丁合されて同一発送される本カードを併合し、発送形態に加工して発送物を作製する。
以上の手順で発送物を作製することを特徴とするカード発送用発送物の丁合方法。
【請求項２】
（１）コンピュータに少なくともカード所持者（使用者）の住所、氏名、ＩＤ符号を所持者（使用者）毎にデータベース化して記憶メモリに記憶させる。
（２）該所持者（使用者）毎にデータベース化された記憶メモリから呼び出し、書込装置にデータを送信し、少なくともカード所持者（使用者）が特定できるＩＤ符号を記録した本カードを作製する。
（３）発送丁合する際、本カードに記録されている該カード所持者（使用者）が特定できるＩＤ符号を、読取装置で読み取り、この特定されたカード所持者（使用者）の住所、氏名、ＩＤ符号をデータベース化した記憶メモリから呼び出すとともに、同時に発送される他の補助カードに記録する乱数をコンピュータに格納されている乱数発生手段で発生させる。
（４）特定されたカード所持者（使用者）の住所、氏名、ＩＤ符号と対応させて
（３）の工程で発生させた乱数をデータベース記憶メモリに記憶させると同時に、カード台紙に発送用の宛名及びＩＤ符号を、カード台紙に再剥離可能な方法で糊付けされている補助カードには該乱数とＩＤ符号を書き込む。
（５）次に、カード台紙に糊付けされた補助カードと共に丁合されて、同一発送される本カードのＩＤ符号を読取装置で、カード台紙又は補助カードのＩＤ符号を読取装置で読み取り、コンピュータに入力する。
（６）本カードのＩＤ符号とカード台紙又は補助カードのＩＤ符号を照合判定手段に送り、両者が一致しているか照合して判定する。
（７）両者が一致していると判定された場合にのみ、カード台紙と本カードを丁合し、発送物形態に加工して発送物を作製する。
以上の手順で発送物を作製することを特徴とするカード発送用発送物の丁合方法。
【請求項３】
乱数を発生する乱数発生手段と、該乱数をカード所持者（使用者）が特定できる少なくとも住所、氏名、ＩＤ符号と関連づけてデータベース化している記憶メモリと、本カード、カード台紙又は補助カードを読取装置で読み取られたカード所持者（使用者）が特定できるＩＤ符号データとを照合して、両者が一致しているか否かを判定する照合判定手段とを格納しているコンピュータと、
カード台紙及びカード台紙に再剥離可能な方法で糊付けされている補助カードに上記データベース化している記憶メモリに基づいて、少なくともカード台紙には住所を、補助カードには上記乱数、IＤ符号を印字する書込装置と、
本カードとカード台紙又は補助カードとのカード所持者（使用者）が特定できるＩＤ符号データとを照合して、両者が一致している場合には、カード台紙に設けられている切り込み部に挿入するする挿入手段と、
を少なくとも具備することを特徴とするカード発送用発送物の丁合装置。
【請求項４】
請求項１又は請求項２に記載のカード発送用発送物の丁合方法で作製された発送物。
【発明の詳細な説明】
【０００１】
【発明の属する技術分野】
本発明は、複数のカードを１回で発送するために要する丁合作業、チェック作業の省力化に関するものである。
【０００２】
【従来の技術】
ネットバンキングやテレフォンバンキングにおいては、口座にアクセスするため暗証符号の他に、セキュリティを高める方策として、一般に主体となる本カード（キャッシュカード）と、図４に示すような乱数等の本人を特定するＩＤ符号が書き込まれた補助カードが用いられている。
この乱数は、全く同一のものは無く、本カードと一対になっており、両者が揃わないと使用できなくなっている。
【０００３】
この本カード（キャッシュカード）を用いて口座にアクセスしようとすると、暗証符号等の本人を特定する情報の他に、補助カードに記載されている乱数を問い合わせ、この乱数がデータベースに記憶されているデータと一致しなければアクセスは拒絶することで、更に不正なアクセスが防止されセキュリティを高めることが可能である。
【０００４】
例えば、図４のような補助カードを送付されている場合において、本カード（キャシュカード）を用いて口座にアクセスしようとすると、補助カードに書き込まれた（イ）行のＤ〜Ｈ列の乱数を問い合わせ、本人は補助カードに書き込まれれている乱数みて、「５２８６０」と応答しなければアクセスは拒否されることになる。
この乱数を問い合わせる位置も、まったくランダムであるので偶然に一致することは生じない。
【０００５】
このような仕組みの場合、新規の口座開設者であるカード所持者（使用者）には、本カードのキャシュカード以外にも補助カードを送付する必要がある。
本カードと補助カードとが１対１に対応していない発送ミスは絶対に許されないものである。
【０００６】
これらのカードを発送する方法として、
（１）複数のカードを丁合しないで別々に発送する。
この方法は、チェックする負荷は小さく、発送ミスは防止できるが、別々に発送するので、封入封緘の費用、発送費用等の費用がその都度発生し発送コストが高くなる。
（２）複数のカードを、纏めて１の台紙にセットして発送する。
この方法は、封入封緘の費用、発送費用等の費用は小さいが、本カードであるキャシュカードと、補助カードとが一枚一枚毎に正確にマッチングしているか確認する手間も、キャシュカードとカード台紙、補助カードとカード台紙、補助カードと本カードと三者間でチェックしなければならないために、チェックする負荷は非常に大きい。
【０００７】
【発明が解決しようとする課題】
本発明は以上のような問題点に着目してなされたもので、本カードと補助カードとが１対１に対応して関連付けられた複数のカードを発送する際、発送ミスが無く、且つ、チェックする工程の負荷を大幅に低減するカード発送用発送物の丁合方法及び装置を提供することを課題としている。
【０００８】
【課題を解決するための手段】
上記課題を解決するためになされた請求項１に記載の発明は、
（１）コンピュータに少なくともカード所持者の住所、氏名、ＩＤ符号を所持者（使用者）毎にデータベース化して記憶メモリに記憶させる。
（２）該所持者（使用者）毎にデータベース化された記憶メモリから呼び出し、書込装置にデータを送信し、少なくともカード所持者（使用者）が特定できるＩＤ符号を記録した本カードを作製する。
（３）発送丁合する際、本カードに記録されている該カード所持者（使用者）が特定できるＩＤ符号を、読取装置で読み取り、この特定されたカード所持者（使用者）の住所、氏名、ＩＤ符号をデータベース化した記憶メモリから呼び出すとともに、同時に発送される他の補助カードに記録する乱数をコンピュータに格納されている乱数発生手段で発生させる。
（４）特定されたカード所持者（使用者）の住所、氏名、ＩＤ符号と対応させて（３）の工程で発生させた乱数をデータベース記憶メモリに記憶させると同時に、カード台紙に発送用の宛名及びＩＤ符号を、カード台紙に再剥離可能な方法で糊付けされている補助カードには該乱数とＩＤ符号を書き込む。
（５）次に、カード台紙を丁合工程に搬送し、カード台紙に糊付けされた補助カードと共に丁合されて同一発送される本カードを併合し、発送形態に加工して発送物を作製する。
以上の手順で発送物を作製することを特徴とするカード発送用発送物の丁合方法である。
【０００９】
又請求項２に記載の発明は、
（１）コンピュータに少なくともカード所持者（使用者）の住所、氏名、ＩＤ符号を所持者（使用者）毎にデータベース化して記憶メモリに記憶させる。
（２）該所持者（使用者）毎にデータベース化された記憶メモリから呼び出し、書込装置にデータを送信し、少なくともカード所持者（使用者）が特定できるＩＤ符号を記録した本カードを作製する。
（３）発送丁合する際、本カードに記録されている該カード所持者（使用者）が特定できるＩＤ符号を、読取装置で読み取り、この特定されたカード所持者（使用者）の住所、氏名、ＩＤ符号をデータベース化した記憶メモリから呼び出すとともに、同時に発送される他の補助カードに記録する乱数をコンピュータに格納されている乱数発生手段で発生させる。
（４）特定されたカード所持者（使用者）の住所、氏名、ＩＤ符号と対応させて
（３）の工程で発生させた乱数をデータベース記憶メモリに記憶させると同時に、カード台紙に発送用の宛名及びＩＤ符号を、カード台紙に再剥離可能な方法で糊付けされている補助カードには該乱数とＩＤ符号を書き込む。
（５）次に、カード台紙に糊付けされた補助カードと共に丁合されて、同一発送される本カードのＩＤ符号を読取装置で、カード台紙又は補助カードのＩＤ符号を読取装置で読み取り、コンピュータに入力する。
（６）本カードのＩＤ符号とカード台紙又は補助カードのＩＤ符号を照合判定手段に送り、両者が一致しているか照合して判定する。
（７）両者が一致していると判定された場合にのみ、カード台紙と本カードを丁合し、発送物形態に加工して発送物を作製する。
以上の手順で発送物を作製することを特徴とするカード発送用発送物の丁合方法である。
【００１０】
作業の都合上、カード台紙に宛名、補助カードに乱数、ＩＤ符号を書き込む時間が丁合する時間より大きい場合、時間を短縮するには、予めカード台紙及び補助カードに書き込んで準備しておく方法が採用される。
この場合は、台紙カードに発送用の宛名を、補助カードに乱数とＩＤ符号を書き込む工程と、丁合する工程とを連続して実施しないので、丁合される本カードのＩＤ符号と補助カードのＩＤ符号を照合して一致しているか否か判定する必要がある。この照合判定工程を請求項１に付加したものが請求項２である。
【００１１】
また、請求項３に記載の発明は、
乱数を発生する乱数発生手段と、該乱数をカード所持者（使用者）が特定できる少なくとも住所、氏名、ＩＤ符号と関連づけてデータベース化している記憶メモリと、本カード、カード台紙又は補助カードを読取装置で読み取られたカード所持者（使用者）が特定できるＩＤ符号データとを照合して、両者が一致しているか否かを判定する照合判定手段とを格納しているコンピュータと、
カード台紙及びカード台紙に再剥離可能な方法で糊付けされている補助カードに上記データベース化している記憶メモリに基づいて、少なくともカード台紙には住所を、補助カードには上記乱数、IＤ符号を印字する書込装置と、
本カードとカード台紙又は補助カードとのカード所持者（使用者）が特定できるＩＤ符号データとを照合して、両者が一致している場合には、カード台紙に設けられている切り込み部に挿入するする挿入手段と、
を少なくとも具備することを特徴とするカード発送用発送物の丁合装置である。
【００１２】
更に、請求項４に記載の発明は、請求項１又は請求項２に記載のカード発送用発送物の丁合方法で作製された発送物である。
【００１３】
【発明の実施の形態】
以下、本カードと補助カードが各１枚である本発明の実施の形態について詳細に説明する。
【００１４】
図３は、コンピュータに格納されているカード所持者（使用者）の住所、氏名、ＩＤ符号等がデータベース化されている記憶メモリ（２４）から、カード所持者（使用者）毎に呼び出し、少なくとも本カード（１０）に本人を特定できるＩＤ符号を書込装置で記録した本カード（１０）を予め作製するブロック図を示すものである。
本人を特定する情報としてはＩＤ符号を用い、このＩＤ符号を誤り無く読み込むことができるようにＯＣＲ文字、或いはバーコードで印刷したり、これらの印刷と共に磁気ストライプにＩＤ符号を書き込んでおく。
【００１５】
図１は、上記の図３で作製された少なくとも本人を特定するＩＤ符号を書き込んである本カード（１０）と、補助カード（４０）を１つのカード台紙（３０）に丁合して発送する方法を説明する図を示すものである。
【００１６】
図２は、本発明のカード発送用発送物のメイン装置であるコンピュータのシステム構成を示す図である。
【００１７】
必要な情報が書き込まれている本カード（１０）であるキャシュカードのＩＤ符号を読取装置で読み込み、コンピュータ（２０）に格納されているデータベース記憶メモリ（２４）からＩＤ符号に対応するデータを呼び出すと共に、乱数発生手段（２５）で乱数を発生させる。
【００１８】
該乱数は、上記のＩＤ符号に対応したデータベースにリンクさせてデータベース記憶メモリ（２４）に記憶させると同時に、このＩＤ符号に対応した本人の住所を宛名（３１）としてカード台紙（３０）に、また、カード台紙（３０）に再剥離可能な方法で糊付けされている補助カード（４０）に少なくとも乱数、ＩＤ符号をインクジェットプリンター、ドッドプリンター、感熱転写プリンター等の書込装置（２２ａ）で書き込む。（図１（Ａ）参照）
【００１９】
次に、上記のカード台紙と補助カードに書き込む工程と丁合する工程とを連続して実施しない請求項２の場合について説明する。両者を連続して実施する場合は、照合判定工程を省略するだけであるので割愛する。
【００２０】
丁合工程でおいて、カード台紙に糊付けされた補助カードと共に丁合されて同一発送される本カード（１０）のＩＤ符号を念のため再度読み込み、また補助カードに書き込まれたＩＤ符号を読取装置で読み込む。
読み込まれた両者のＩＤ符号をコンピュータに格納されている照合判定手段（２６）で一致しているか否かを判定する。一致している場合には、台紙カードと本カード（１０）を丁合する。一致していない場合は、一致していないことを表示すると共に丁合作業を中断する。
【００２１】
一致している場合には、カード台紙（３０）と本カード（１０）を丁合する。
丁合してカード台紙に貼り付ける方法として、通常、カード台紙（３０）に切れ込み（３２）を設けておき、この切れ込み（３２）に本カード（１０）を挿入して固定する。（図１（Ｂ）参照）
【００２２】
図１（Ｂ）のように本カード（１０）がカード台紙と丁合されたものを、図５のように、Ｚ折すると中間の用紙にカードが挟み込まれ、１枚目の表紙に宛名（３１）が記載された状態になり、用紙の端部を糊付け部（３３）で封印すると、カード発送用発送物が作製される。（図１（Ｃ）、図５参照）
【００２３】
上記では、本カードと補助カードが各１枚づつであったが、これ以上のカードを発送する発送物を作製する場合も、上記の方法に準じて行えばよい。
【００２４】
【発明の効果】
以上説明したように、本発明によって、本カードと補助カードとが１対１に対応して関連付けられた複数のカードを発送する際、本カードと補助カードがマッチングしないというような発送ミスを無くすことができる。
また、チェックする工程の負荷を大幅に低減することができ、発送コストを低減することができる。
【図面の簡単な説明】
【図１】本人を特定するＩＤ符号を書き込んである本カードと、補助カードを１のカード台紙に丁合して発送する方法を説明する図である。
【図２】本発明のカード発送用発送物のメイン装置であるコンピュータのシステム構成を示す図である。
【図３】本カードに本人を特定できるＩＤ符号を書込装置で記録したカードを予め作製する工程を説明するブロック図である。
【図４】補助カードに乱数及びＩＤ符号を書き込んだ状態を示す例の平面図である。
【図５】カード台紙からカード発送用発送物を作製する工程を説明するための模式図である。
【符号の説明】
１０…本カード
２０…コンピュータ
２１ａ、２１ｂ…読取装置
２２ａ、２２ｂ…書込装置
２３…ＣＰＵ
２４…データベース記憶メモリ
２５…乱数発生手段
２６…照合判定手段
３０…カード台紙
３１…宛名
３２…切り込み
３３…糊付け部
４０…補助カード（乱数カード）
４１…ＩＤ符号
４２…乱数
【図１】
0004582274.tif 000002
【図２】
0004582274.tif 000003
【図３】
0004582274.tif 000004
【図４】
0004582274.tif 000005
【図５】
0004582274.tif 000006